(57)【要約】【課題】着用者の皮膚に移ることができ、かつ、着用者の皮膚にＢＭが付着することを減少させ、その結果、ＢＭの清浄除去を容易にするローション剤コーティングを外側表面に有するトップシートを備える吸収性用品を提供する。【解決手段】この使い捨て吸収性用品は、Ａ）液体不透過性バックシート、Ｂ）液体透過性トップシートおよびＣ）吸収性コアを備える。トップシートの少なくとも一部には、２０℃で半固体もしくは固体であり、かつ着用者の肌に部分的に移行可能である有効量のローションコーティングが適用される。ローションコーティングは、（ｉ）２０℃で可塑性もしくは流動性コンシステンシーを有するエモリエント剤を１０〜９５％および（ii）少なくとも３５℃の融点を有する固定化剤を５〜９０％の割合で含む。【選択図】図３
2010075732.tif 000002
【特許請求の範囲】
【請求項１】
吸収性用品であって、
Ａ）液体不透過性バックシート、
Ｂ）液体透過性トップシート、および
Ｃ）該トップシートと該バックシートの間に配置された吸収性コア
を備え、
該トップシートの少なくとも一部には、２０℃で半固体もしくは固体であり、かつ着用者の肌に部分的に移行可能である有効量のローションコーティングが適用されており、該ローションコーティングは、
（ｉ）２０℃で可塑性もしくは流動性コンシステンシーを有するエモリエント剤を１０〜９５％、および
（ii）該エモリエント剤を該トップシート上に固定化し得る固定化剤であって、少なくとも３５℃の融点を有する固定化剤を５〜９０％の割合で含む
ことを特徴とする生理ナプキン。
【請求項２】
前記エモリエント剤が、５％以下の水を含有する、請求項１に記載の生理ナプキン。
【請求項３】
前記エモリエント剤が、石油系エモリエント、脂肪酸エステルエモリエント、アルキルエトキシレートエモリエント、脂肪酸エステルエトキシレートエモリエント、脂肪アルコールエモリエントおよびこれらの混合物からなる群の中から選ばれる、請求項１に記載の生理ナプキン。
【請求項４】
前記エモリエント剤が、鉱油、ペトロラタムおよびこれらの混合物からなる群の中から選ばれる石油系エモリエントを含む、請求項３に記載の生理ナプキン。
【請求項５】
前記エモリエント剤が、ペトロラタムである、請求項４に記載の生理ナプキン。
【請求項６】
前記エモリエント剤が、鉱油である、請求項４に記載の生理ナプキン。
【請求項７】
前記エモリエント剤が、メチルパルミテート、メチルステアレート、イソプロピルラウレート、イソプロピルミリステート、イソプロピルパルミテート、エチルへキシルパルミテート、ラウリルラクテート、セチルラクテートおよびこれらの混合物からなる群の中から選ばれる脂肪酸エステルエモリエントを含む、請求項３に記載の生理ナプキン。
【請求項８】
前記エモリエント剤が、２〜３０の平均エトキシル化度を有するＣ12〜Ｃ18脂肪アルコールエトキシレートからなる群の中から選ばれるアルキルエトキシレートエモリエントを含む、請求項３に記載の生理ナプキン。
【請求項９】
前記固定化剤が、エモリエント剤と混和性である、請求項１に記載の生理ナプキン。
【請求項１０】
前記固定化剤が、ポリヒドロキシ脂肪酸エステル、ポリヒドロキシ脂肪酸アミド、Ｃ14〜Ｃ22脂肪アルコール、Ｃ12〜Ｃ22脂肪酸、Ｃ12〜Ｃ22脂肪アルコールエトキシレート、ワックス及びそれらの混合物からなる群の中から選ばれる、請求項１に記載の生理ナプキン。
【請求項１１】
前記固定化剤が、Ｃ14〜Ｃ22脂肪アルコールを含む、請求項１０に記載の生理ナプキン。
【請求項１２】
前記固定化剤が、セチルアルコール、ステアリルアルコールおよびこれらの混合物からなる群の中から選ばれるＣ16〜Ｃ18脂肪アルコールを含む、請求項１１に記載の生理ナプキン。
【請求項１３】
前記固定化剤が、式
【化１】
2010075732.tif 000012
（ここで、Ｒは、Ｃ5〜Ｃ31ヒドロカルビル基、Ｙは、少なくとも２つの遊離ヒドロキシル基が直接結合したヒドロカルビル鎖を有するポリヒドロキシヒドロカルビル基、ｎは、少なくとも１）を有するポリヒドロキシ脂肪酸エステルを含む、請求項１０に記載の生理ナプキン。
【請求項１４】
前記固定化剤が、Ｃ16〜Ｃ22飽和脂肪酸のソルビタンエステル、Ｃ16〜Ｃ22飽和脂肪酸のグリセリルモノエステル、およびＣ12〜Ｃ22飽和脂肪酸のシュクロースエステルからなる群の中から選ばれるポリヒドロキシ脂肪酸エステルを含む、請求項１３に記載の生理ナプキン。
【請求項１５】
前記固定化剤が、ソルビタンパルミテート、ソルビタンステアレート、ソルビタンベヘネート、グリセリルモノステアレート、グリセリルモノパルミテート、グリセリルモノベヘネート、シュクロースモノ−およびジ−ステアレート、シュクロースモノ−およびジ−ラウレートからなる群の中から選ばれるポリヒドロキシ脂肪酸エステルを含む、請求項１４に記載の生理ナプキン。
【請求項１６】
前記固定化剤が、ソルビタンステアレートを含む、請求項１５に記載の生理ナプキン。
【請求項１７】
前記固定化剤が、式
【化２】
2010075732.tif 000013
（ここで、Ｒ1は、Ｈ、Ｃ1〜Ｃ4ヒドロカルビル、２−ヒドロキシエチル、２−ヒドロキシプロピル、メトキシエチル、メトキシプロピルまたはそれらの混合物、Ｒ2はＣ5〜Ｃ31ヒドロカルビル基、Ｚは、少なくとも３つのヒドロキシルが直接結合した線状ヒドロカルビル鎖を有するポリヒドロキシヒドロカルビル基）で示されるポリヒドロキシ脂肪酸アミドを含む、請求項１０に記載の生理ナプキン。
【請求項１８】
Ｒ1が、Ｎ−メチル、Ｎ−エチル、Ｎ−プロピル、Ｎ−イソプロピル、Ｎ−ブチル、Ｎ−２−ヒドロキシエチル、Ｎ−メトキシプロピルまたはＮ−２−ヒドロキシプロピルであり、Ｒ2が直鎖Ｃ11−Ｃ17アルキルもしくはアルケニル、またはそれらの混合物であり、Ｚがグリシチルである、請求項１７に記載の生理ナプキン。
【請求項１９】
固定化剤が、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロウイル−Ｎ−メチルグルカミド、およびＮ−タロウイル−Ｎ−メトキシプロピルグルカミドからなる群の中から選ばれるポリヒドロキシ脂肪酸アミドを含む、請求項１８に記載の生理ナプキン。
【請求項２０】
前記固定化剤が、カルナウバワックス、蜜ロウ、カンデリラワックス、パラフィンワックス、セレシンワックス、エスパルト、オウリクリ、レゾロウワックスおよびそれらの混合物からなる群の中から選ばれる物質を含む、請求項１０に記載の生理ナプキン。
【請求項２１】
前記トップシートが親水性である、請求項１に記載の生理ナプキン。
【請求項２２】
前記ローションコーティングが５〜５０％の前記固定化剤を含み、該固定化剤は、少なくとも４０℃の融点を有する、請求項１に記載の生理ナプキン。
【請求項２３】
前記トップシート外側表面の前記一部上のローションコーティングの量が、０．１６ｇ／ｍ2（０．１ｍｇ／ｉｎ2）〜３９ｇ／ｍ2（２５ｍｇ／ｉｎ2）である、請求項１に記載の生理ナプキン。
【請求項２４】
前記トップシート外側表面の前記一部上のローションコーティングの量が、１．６ｇ／ｍ2（１ｍｇ／ｉｎ2）〜１６ｇ／ｍ2（１０ｍｇ／ｉｎ2）である、請求項２３に記載の生理ナプキン。
【請求項２５】
前記ローションコーティングが、１％〜５０％の親水性界面活性剤をさらに含み、該親水性界面活性剤は少なくとも４のＨＬＢ値を有する、請求項１に記載の生理ナプキン。
【請求項２６】
前記ローションコーティングが、１％〜２５％の親水性界面活性剤をさらに含み、該親水性界面活性剤は、非イオン系であり、４〜２０のＨＬＢ値を有する、請求項２５に記載の生理ナプキン。
【請求項２７】
前記親水性界面活性剤が、８〜２２個の炭素原子を有するアルキル鎖を有し、１〜５４の平均エトキシル化度を有するエトキシル化アルコールを含む、請求項２６に記載の生理ナプキン。
【請求項２８】
エトキシル化アルコールが、１１〜２２個の炭素原子を有するアルキル鎖を有し、２〜３０の平均エトキシル化度を有する、請求項２７に記載の生理ナプキン。
【請求項２９】
前記親水性界面活性剤が、２〜２０の平均エトキシル化度を有する、Ｃ12〜Ｃ18脂肪酸のエトキシル化ソルビタンエステルを含む、請求項２８に記載の生理ナプキン。
【発明の詳細な説明】
【発明の属する技術分野】
【０００１】
本発明は、おむつ、トレーニングパンツ、成人向け失禁用用品生理用品、パンティライナーなどの吸収性用品に関する。特に、本発明は、通常の接触、着用者の身動き、および／または体温によって着用者の皮膚に移ることができるローション剤が、トップシートの外側表面にコーティングされた吸収性用品に関する。
【従来の技術】
【０００２】
尿に対して高い吸収能力を有するおむつのような多種類の使い捨て吸収用品が入手可能である。この種の使い捨て用品は、一般に、ある種の流体透過性トップシート材、吸収性コア、および流体不透過性バックシート材を含む。これらの種類の吸収構造は、流体を吸収することに対してはきわめて有用であるが、便（以下、ＢＭという）を吸収することはできない。一般にＢＭは、流体透過性トップシートの外側表面と、着用者の皮膚との間に閉じ込められ、その殆どが着用者の皮膚に付着する。
【０００３】
ＢＭが着用者の皮膚に付着しないように、介護者は多くの場合、着用者に吸収性用品を着用させる前に、ペトロラタムもしくは鉱油のような保護用品もしくは“撥性”用品を、臀部および肛門の部分に塗布する。この方法では通常、介護者が、たとえば、鉱油またはローション剤をどちらかの手に取り、両手をこすってその液体を手の上で延ばし、そして延ばした液体を幼児の皮膚へと塗る。このような無駄で、繁雑で、そしてすぐ忘れてしまう方法を用いなくても済むように、トップシートに保護用もしくは治療用の皮膚手入れ剤を含んだ吸収性用品を作ろうとする数多くの試みが、過去になされた。
【０００４】
ローション剤としておむつ用品に塗布され、緩和し保護するコーティングをもたらしてきた物質の一つに鉱油がある。鉱油（液体ペテロラタムとしても知られている）は、石油の高沸点（すなわち３００℃〜３９０℃）留分を蒸留することで得られる様々な液体炭化水素の混合物である。鉱油は、周囲の温度（たとえば２０℃〜２５℃）では液体である。
そのため、鉱油は、おむつのトップシートに塗布されても、比較的流動的で動きやすくなっている。
【０００５】
鉱油は、周囲温度において流動的で動きやすいため、トップシート上で局部的には残らない傾向にある代りに、トップシートを通っておむつの内部へと染み込んでいく。そのため、コーティングローション剤の所定の治療効果もしくは保護効果が得られるためには、比較的多量の鉱油を塗布する必要がある。このことは、ローション剤が塗布されたおむつ用品のコストを増加させるだけでなく、その他の好ましくない影響をも引き起こすものである。
【０００６】
好ましくない影響の一つは、多量の鉱油はトップシートの孔をふさぐ傾向にあるために、流体取扱い特性が低下することである。さらに、鉱油はおむつの内部に染み込んだ際に、疎水性の添加物として振る舞うために、下に敷かれた吸収性コア（もし使用された場合）の吸収性が低下する。塗布される鉱油の量が増えると、吸収性の低下はより顕著になる。
【０００７】
たとえ多量の鉱油が使用されなくても、鉱油が一度塗布されれば、鉱油が染み込むという傾向はその他の好ましくない影響をもたらす。たとえば、塗布された鉱油は、ローション剤が塗られたおむつ用品を梱包するまたは包装する材料へ移り、その中へ入り、そして通過してしまう。このため、おむつ用品から出た鉱油による汚れや、その他の漏れを防ぐために、障壁型の梱包または包装フィルムを用いる必要が生じる。
【０００８】
以上のことより、（１）コーティングローション剤の所定の治療効果もしくは保護効果を有し、（２）室温で液体であるコーティング（たとえば鉱油）をそれほど多量には必要とせず、（３）おむつ用品の吸収性に悪影響を及ぼさず、（４）特別な包装または梱包用障壁材を必要としないローション剤が塗られたおむつ用品が望まれる。
【発明の開示】
【発明が解決しようとする課題】
【０００９】
ヘイフォード（Hayford）らの米国特許第３，５８５，９９８号においては、ベビーオイルを含み圧力で破裂するカプセルが内部裏地に配列された、使い捨てベビーおむつについて述べられている。この特許においては、おむつを使用する前に、綿棒やハンドアイロンのような家庭用品を用いて圧力を加え、カプセルを破ることが望ましいことが述べられている。圧力で破裂するカプセルと同じ原理が、ゴールドファーブ（Goldfarb）らの米国特許第３，４６４，４１３号において用いられ、傷口に薬剤を与えることができる包帯が作成されている。しかし、両方の特許において開示されている用品には、重大な欠点が存在している。つまり、おむつまたは包帯を使用する前に、圧力を加えてカプセルを破裂しない限り、カプセルに含まれている皮膚手入れ剤は全く与えられないか、または不均一に与えられて皮膚の一部がコーティングされない。
【００１０】
ブチャルター（Buchalter）の米国特許第３，８９６，８０７号においては、クリーム配合の固体油相が充填された用品について述べられており、この固体油相は、水分が加えられるとクリームを形成するようになっている。この特許において開示されている用品に存在する重大な欠点は、効果的な薬物が吸収性基材から皮膚に移るのが遅れることであり、さらに薬物が移るのは体内から流動物が出た時のみであることである。
【００１１】
ダンカン（Duncan）らの米国特許第３，４８９，１４８号においては、疎水性でかつ親油性のトップシートを含むベビーおむつについて述べられており、このトップシートの一部には、油性材料からなる不連続フィルムがコーティングされている。ダンカンらの特許により開示されているおむつに存在する重大な欠点は、疎水性でかつ親油性のトップシートは、その下に敷かれた吸収性コアへ尿が移るのを促進することが遅いことである。
【００１２】
従って、本発明の目的は、すぐれた流体取扱い特性を有するトップシートを備えた吸収性用品を提供することにある。
【００１３】
さらに本発明の目的は、着用者の皮膚に移ることができ、かつ、着用者の皮膚にＢＭが付着することを減少させ、その結果、ＢＭの清浄除去を容易にするローション剤コーティングを外側表面に有するトップシートを提供することにある。
【００１４】
さらに本発明の目的は、以下の性質を有する、ローション剤が塗られた吸収性用品を提供することである。つまり、
（１）望ましいＢＭの脱離、ＢＭの清浄、治療もしくは保護ローション利益を有し、
（２）鉱油をそれほど多量には必要とせず、
（３）吸収性用品の流体の取り扱い特性に悪影響を及ぼさず、および
（４）特別な包装もしくは梱包用の障壁材を必要としない。
【００１５】
以下に開示される内容を読むことによって容易に明らかになるように、これらの目的に限らず他の目的も本発明によって達成される。
【課題を解決するための手段】
【００１６】
本発明は、トップシートの外側表面にローション剤コーティングを有する吸収性用品に関する。ローション剤は、周囲温度（つまり２０℃）において半固体もしくは固体であり、着用者の皮膚に移るように配合される。
【００１７】
簡潔には、本発明に係る吸収性用品は、
Ａ）液体不透過性バックシート、
Ｂ）液体透過性トップシート、および
Ｃ）該トップシートと該バックシートの間に配置された吸収性コア
を備え、
該トップシートの少なくとも一部には、２０℃で半固体もしくは固体であり、かつ着用者の肌に部分的に移行可能である有効量のローション組成物が適用されており、該ローション組成物は、
（ｉ）２０℃で可塑性もしくは流動性コンシステンシーを有するエモリエント剤を１０から９５％まで、および
（ii）該エモリエント剤を該トップシート上に固定化し得る固定化剤であって、少なくとも３５℃の融点を有する固定化剤を５から９０％までの割合で含む。
【００１８】
また、本発明によれば、使い捨て吸収性用品であって、
Ａ）液体不透過性バックシート、
Ｂ）液体透過性トップシート、および
Ｃ）該トップシートと該バックシートの間に配置された吸収性コア
を備え、
該トップシートの少なくとも一部は、エモリエント剤と固定化剤を含む有効量のローション組成物が適用されており、該ローション組成物は、非均一パターンで該トップシートに適用されている
ことを特徴とする吸収性用品が提供される。
【００１９】
本発明において、トップシートの少なくとも一部にコーティングされるローション剤の量は、約０．１６ｇ／ｍ2 （０．１ｍｇ／ｉｎ2 ）〜約３９ｇ／ｍ2 （２５ｍｇ／ｉｎ2 ）であることが好ましく、より好ましくは約１．６ｇ／ｍ2 （１ｍｇ／ｉｎ2 ）〜約１６ｇ／ｍ2 （１０ｍｇ／ｉｎ2 ）である。ローションが塗られたトップシートにおいては、所望のＢＭの清浄、およびコーティングローション剤の治療効果もしくは保護効果が得られる。エモリエント剤はトップシート表面上では実質的に固定化されているため、所定の皮膚手入れ効果をもたらすために必要なローション組成物はより少なくて済む。さらに、本発明に係るローション剤が塗られた吸収性用品を梱包する上で、特別な障壁材もしくは包装材は不要である。
【００２０】
後述するように、本発明に係るローション組成物は次のような融解特性を有していることが好ましい。つまり、室温においてはトップシート上で比較的不動的で局在化しており、体温のもとでは着用者に移ることができ、それにもかかわらず、極端な保存条件のもとでも完全には液体とならない。
【００２１】
重要なことは、本発明に係るローション組成物は、通常の接触、着用者の身動き、および／または体温によって、容易に皮膚へ移ることができることである。理論により拘束されるものではないが、ローション組成物は皮膚の表面エネルギーを変化させ、および／または「障壁」を形成してＢＭに対する皮膚の親和性を減少させると信じられる。その結果、ＢＭが皮膚に付着する傾向が低下するため、ＢＭを除去することが容易になる。
【００２２】
本明細書で用いられている「含む、包含する」という用語は、本発明を実施するために、様々な構成部材、成分、もしくは手順を共に使用できることを意味する。従って、「含む、包含する」という用語は、より限定的な「本質的に〜からなる」という用語および「〜からなる」という用語を包含する。
【００２３】
以下に用いられているパーセンテージ、割合および比率は、別段の定めがない限り、すべて重量で表わされている。 
【発明の効果】
【００２４】
以上述べたように、本発明によれば、すぐれた流体取扱い特性を有するトップシートを備えた吸収性用品が提供される。本発明の吸収性用品は、着用者の皮膚に移ることができ、かつ、着用者の皮膚にＢＭが付着することを減少させ、その結果、ＢＭの清浄除去を容易にするローション剤コーティングを外側表面に有するトップシートを備える。 
【発明を実施するための最良の形態】
【００２５】
以下本発明をより詳しく説明する。
【００２６】
Ａ．吸収性用品
本明細書で用いられている「吸収性用品」という用語は、体内からの滲出物を吸収し内部に含む用品を指す。より具体的には、着用者の皮膚に接するように取り付けられて、体内から排出された様々な滲出物を吸収し内部に含む用品を指す。本明細書で用いられる「使い捨て」という用語は、吸収性用品として一度使用した後に、洗濯もしくは再生して吸収性用品として再使用することが意図されていない、吸収性用品を説明するために用いられる。使い捨て吸収性用品の例としては、生理ナプキンおよびパンティライナーのような女性用生理用品、おむつ、失禁用パンツ、おむつホルダー、トレーニングパンツなどが含まれる。
【００２７】
使い捨て吸収性用品には、一般に、液体を透過するトップシート、トップシートに接続され液体を透過しないバックシート、およびトップシートとバックシートの間に配置された吸収性コアが含まれている。吸収性用品およびその構成部材は、トップシート、バックシート、吸収性コアおよびこれらの構成部材からなる各層を含めて、身体側表面および衣類側表面を有している。本明細書で用いられているように、「身体側表面」は、吸収性用品もしくは構成部材の表面であって、着用者の身体側にもしくは身体に隣接して着用されるように意図された表面を示す。一方、「衣類側表面」は反対側に位置し、使い捨て吸収性用品が着用された際に着用者の下着の側に着用されもしくは隣接して取り付けられるように意図されている。
【００２８】
以下の記述において、使い捨て吸収性用品向けに有用な吸収性コア材、トップシート材、およびバックシート材について、一般的に論じる。この一般的な説明は、図３に示し以下で詳しく説明する具体的な吸収性用品の構成部材についてなされているが、本明細書中で一般的な説明がなされている他の使い捨て吸収性用品の構成部材についても適用されることを了解されたい。
【００２９】
一般に、吸収性コアは液体（たとえばメンス、尿、および／または体内からの他の滲出物）を吸収もしくは保有することができる。吸収性コアは、着用者の皮膚に対して、圧縮性があり、なじみやすく、そして刺激的でないことが好ましい。吸収性コアは、多種多様なサイズおよび形状（たとえば、長方形、楕円形、砂時計形、「Ｔ」字形、犬骨形、非対称形など）で製造される。本発明に係る吸収性複合材の他に、吸収性コアは、吸収性用品に一般に使用される多種多様な液体吸収材のいかなるものも含むことができる。このような液体吸収材としては、一般にエアーフェルト（airfelt）と呼ばれる、細かく砕かれた木材パルプなどがある。吸収性コアに使用する上で好適な他の吸収材には、縮めた（creped）セルロースの詰物；同形態（coform）等の溶融吹込み成型（meltblown）されたポリマー；化学的に堅くされ、変性され、もしくは架橋されたセルロースファイバー；捲縮された（crimped）ポリエステルファイバーのような人工繊維；ピート苔（moss）；ティッシュラップおよびティッシュラミネートを含むティッシュ；吸収性発泡樹脂；吸収性スポンジ；超吸収性ポリマー；吸収性ゲル材；またはこれらと等価ないかなる材料、もしくはこれらの材料の組合わせ、もしくはこれらの材料の混合物が含まれる。
【００３０】
吸収性コアの構成および構造についても様々であっても良い（たとえば、吸収性コアは、可変のカリパス領域（caliper zones）を有する、および／または中央部が厚くなるような断面を有する；親水性に勾配がある；本発明に係る吸収性複合剤が傾斜している、もしくは超吸収性に勾配がある；または平均密度が低くかつ平均坪量がより低い領域、たとえば収集領域（acquisition zones）がある；または、一つもしくはそれ以上の層もしくは構造を含んでいても良い）。しかし、吸収性コアの総吸収能力は、設計上の制約および吸収性用品の意図する用途と、両立していなければならない。さらに、吸収性コアのサイズおよび吸収能力は、用途に合わせて変更しても良い。用途としては、おむつ、失禁用パッド、パンティライナー、普通用生理ナプキン、夜用生理ナプキンなどがある。また、幼児から大人までの着用者に合わせて変更しても良い。
【００３１】
吸収性コアは、吸収性用品によく使用される他の吸収性部材を含むことができる。たとえば、拭き取り層、吸い取り層もしくは収集層、または着用者の着心地を高めるための副トップシート等である。
【００３２】
トップシートは、着用者の皮膚に対してなじみやすく、感触が柔らかく、そして刺激的でないことが好ましい。さらに、トップシートは液体を透過し、いろいろな液体（たとえばメンス、および／または尿）を、容易にその厚み方向に浸透させる。好適なトップシートは、織物材および不織材（たとえば、繊維の不織布）；穴の開いたプラスチックフィルム、穴の開いた可塑性フィルム、およびハイドロフォーミング法により作成されたプラスチックフィルムのような高分子材料；多孔質の発泡樹脂、網目状の発泡樹脂；網目状の熱可塑性フィルム；熱可塑性スクリムのような広範な材料から製造することができる。好適な織物材および不織材には、天然繊維（たとえば、木繊維もしくは綿繊維）、合成繊維（たとえば、ポリエステル、ポリプロピレン、ポリエチレン繊維のような高分子繊維）、もしくは天然繊維および構成繊維の組み合わせが含まれる。トップシートが不織布を含む場合、この不織布は既存の広範囲に渡る技術を用いて製造することができる。たとえば、この不織布はスパンボンド（spunbonded）され、梳解（carded）され、ウェットレイド（wet-laid）され、溶融吹込み成型され、ハイドロエンタングル（hydroentangled）され、またはこれらが組合わされてなされる。
【００３３】
バックシートは、液体（たとえばメンス、および／または尿）を透過しない。バックシートは、薄いプラスチックフィルムから製造されていることが好ましいが、液体を透過しない他の柔軟な材料が使用されても良い。本明細書で使用されている「柔軟な」という用語は、人体の一般的な形および輪郭に対して、なじみやすく容易に追従する材料を指す。
バックシートは、吸収性コアに吸収され内部に含まれた滲出物が、吸収性用品に接触する用品、たとえばベッドシーツ、ズボン、パジャマおよび下着を濡らすことを防いでいる。
従って、バックシートは、織物材もしくは不織材、ポリエチレンもしくはポリプロピレンの熱可塑性フィルムのような高分子フィルム、フィルムコーティングされた不織材のような複合材料を含んでいても良い。好適なバックシートは、厚みが約０．０１２ｍｍ（０．５ｍｉｌ）から約０．０５１ｍｍ（２．０ｍｉｌ）であるポリエチレンフィルムである。
例示的なポリエチレンフィルムとしては、クロペイコーポレーション（Clopay Corporation）（シンシナティ、オハイオ州）によって製造された、製品名Ｐ１８−１４０１、そしてトレデガーフィルムプロダクツ（Tredegar Film Products）（テル・ホイテ（Terre Haute）、インディアナ州）によって製造された、製品名ＸＰ−３９３８５が挙げられる。
バックシートは表面に模様を付けて、および／または艶消しに仕上げて、見た目に、より布地に近い方が好ましい。さらに、バックシートは、滲出物が通過するのは防ぐが、吸収性コアから蒸気を逃がしても良い（すなわち、バックシートは呼吸をする）。バックシートのサイズは、吸収性コア、および選び出された吸収性用品の正確なデザインによって、決められる。
【００３４】
バックシートならびにトップシートは、それぞれ、吸収性コアの衣類側表面ならびに身体側表面に隣接して配置される。吸収性コアは、トップシート、バックシートもしくは両方と接続されていることが好ましい。接続の方法は、当該技術分野で良く知られているような取り付け手段（図３には図示せず）によって知られている、いかなる方法であっても良い。しかしながら、本発明の態様として、吸収性コア全体の中の一部分が、トップシート、バックシート、もしくは両方に接していないものが想定される。
【００３５】
たとえば、バックシートおよび／またはトップシートは、吸収性コアに固定されていても良いし、もしくは互いに固定されていても良い。固定の方法としては、均一で連続した接着剤層、パターン形成された接着剤層、もしくは互いに分離された線状、螺旋状、もしくは点状の接着剤の配列を使用する。これまで満足できている接着剤としては、エイチ．ビー．フラー・カンパニー（H. B. Fuller Company）（セント・ポール、ミネソタ州）によって製造された、製品名ＨＬ−１２５８、もしくはＨ−２０３１が挙げられる。取り付け手段としては、ミネトラ（Minetola）らの米国特許第４，５７３，９８６号（１９８６年３月４日発行）に開示されている、接着剤フィラメントのオープンパターンネットワーク（openpattern network）を含んでいることが好ましい。この特許は、本明細書において引用により取り入れられている。フィラメントオープンパターンネットワークの、例示的な取り付け手段には、何本かのラインの接着剤フィラメントが螺旋型に渦巻かれたものが含まれる。このような取り付け手段としては、スプラーグ・ジュニア（Sprague， Jr）の米国特許第３，９１１，１７３号（１９７５年１０月７日発行）、ツィーカー（Zwieker）らの米国特許第４，７８５，９９６号（１９７８年１１月２２日発行）、ウェレニック（Werenicz）の米国特許第４，８４２，６６６号（１９８９年６月２７日発行）の中で示された装置および方法によって明らかにされているものがある。これらの特許は、それぞれ本明細書において引用により取り入れられている。上述したものの代わりに、取り付け手段は、熱接着、圧力接着、超音波接着、動的機械的接着、または当該技術分野において知られているその他の好適な取り付け手段もしくは以上の取り付け手段の組み合わせを含んでいても良い。
【００３６】
本発明に係るローションが塗られたトップシートが使用される使い捨て吸収性用品としては、おむつであることが好ましい。本明細書において使用されている「おむつ」という用語は、幼児および失禁者によって一般に着用され、着用者の下半身の周囲に着用される吸収性用品を指す。言い換えれば、「おむつ」という用語は、幼児用おむつ、トレーニングパンツ、成人向け失禁用用品などを含んでいる。
【００３７】
図３は、本発明に係るおむつ５０の平面図である。図３において、おむつ５０は開かれており、収縮していない（弾性的に起こる縮みが引き伸ばされた）状態が示されている。
また、構造の一部が取り除かれることでおむつ５０の構造がより明瞭に示され、さらに、着用者から遠い側に面しているおむつ５０の部分、つまり外側表面が、見る者の側に向けられている。図３に示すように、おむつ５０は以下のものを含んでいることが好ましい：液体透過性トップシート５２０；トップシートに接合された液体不透過性バックシート５３０；トップシート５２０とバックシート５３０の間に配置された吸収性コア５４０。ここで吸収性コア５４０は衣類側表面５４２、身体側表面５４４、サイドエッジ５４６、ウェストエッジ５４８、そして耳５４９を有する。おむつ５０は、さらに以下のものを含むことが好ましい：弾性を持たせたレッグカフス５５０；弾性的なウェスト多プライ５６０；取り付け部分、通常５７０として示す多プライ。
【００３８】
図３に示すおむつ５０は、外側表面５２、外側表面５２と反対側に位置する内側表面５４、第１のウェスト領域５６、第２のウェスト領域５８、おむつ５０の外端によって規定される周囲５１（縦方向の端は５５で、終端は５７で示す）。（精通した技術者にとって知られているのは、おむつは通常、一対のウェスト領域とこのウェスト領域の間の股領域を有していると説明されるということであるが、本発明においては、用語を簡単にするために、おむつ５０はウェスト領域のみを有しており、このウェスト領域の中に、典型的には股領域の一部として表示されるおむつ部分が含まれているとしている）。おむつ５０の内側表面５４には、使用中に着用者の身体に隣接して位置するおむつ５０の部分が含まれている（すなわち、内側表面５４は一般に、少なくともトップシート５２０の一部分およびこのトップシート５２０に接続される他の部材によって形成される）。外側表面５２には、着用者の身体から遠くに位置するおむつ５０の部分が含まれている（すなわち、外側表面５２は一般に、バックシート５３０の少なくとも一部およびこのバックシート５３０に接続される他の部材によって形成され得る）。（また、本明細書で用いられているように、着用者側に面しているおむつ５０の部分およびその構成部材は、また身体側表面と呼ばれる。同様に、着用者から遠い側に面している部分は、また衣類側表面と呼ばれる。）第１のウェスト領域５６および第２のウェスト領域５８は、周囲５１の終端５７から、おむつ５０の横方向の中心線５３までそれぞれ広がっている。また、図３においては、縦方向の中心線５９も示されている。
【００３９】
図３においては、おむつの好適な態様が示されている。この好適な態様においては、トップシート５２０およびバックシート５３０の長さおよび幅の寸法は、一般に吸収性コア５４０のそれよりも大きい。弾性を持たせたレッグカフス５５０ならびにバックシート５３０は、吸収性コア５４０の端の外側に拡がり、おむつ５０の周囲５１を形成している。
【００４０】
本発明に係るおむつには、吸収性コアを本発明に適応させることで、良く知られている多くの構成を用いることができる。例示的な構成は、以下の特許の中で一般的に説明されている：ブエル（Buell）の米国特許第３，８６０，００３号（１９７５年１月１４日発行）、ブエルらの米国特許第５，１５１，０９２号（１９９２年９月２９日発行）、ブエルらの米国特許第５，２２１，２７４号（１９９３年６月２２日発行）。これらの特許は、それぞれ本明細書の中で引用により取り入れられている。本発明を容易に適応させることができる他のおむつの構成としては、本発明と同時係属中である米国特許出願第０８／２０３，４５６（１９９４年２月２８日提出）の中で説明されているものがある。この特許は、本明細書の中で引用により取り入れられている。本明細書中で述べている技術から見て、上述の特許の中で説明されているおむつ吸収性コアを適応させることにより、本発明に係る吸収性複合材を上述の特許の中で説明されている吸収性ゲル材として含むことができる。
【００４１】
おむつ５０に使用する上で特に好適なトップシート５２０は、織物技術に精通した者に良く知られている方法によって、梳解され、そして熱接着されている。本発明にとって満足のいくトップシートには、約２．２デニールの太さを有する、ステープル長さのポリプロピレン繊維が含まれる。本明細書中で用いられているように、「ステープル長さの繊維」という用語は、長さが少なくとも約１５．９ｍｍ（０．６２５インチ）である繊維を示す。トップシートは、約１４〜２５ｇ／ｍ2 の坪量を有していることが好ましい。好適なトップシートとしては、ベラテック株式会社（Veratec Inc．）のインターナショナルペーパーカンパニー（International Paper Company）事業部（ワルポーレ（Walpole）、マサチューセッツ州）によって製造された製品名Ｐ−８がある。
【００４２】
おむつ５０のトップシート５２０は、親水性の材料から形成され、液体（尿など）がトップシートをすばやく通り抜けるのを促進することが好ましい。トップシートが疎水性の材料から形成されている場合には、液体がトップシートを通ってより速く移るように、少なくともトップシートの上側表面が親水性を持つように処理される。こうすることによって、体内からの滲出物がトップシートを通り抜けて吸収性コアに吸収されるというよりもむしろ、トップシートのまわりへはみ出て流れてしまう（flow off）という可能性を減らすことができる。トップシートは界面活性剤を用いて処理することにより、親水性を持たせることができる。界面活性剤を用いてトップシートを処理する好適な方法には、トップシート材に界面活性剤をスプレーすること、ならびにトップシート材を界面活性剤の中に浸すことが含まれる。このような処理方法および親水性については、以下の特許の中でより詳しく論じられている。レイジング（Reising）らの米国特許第４，９８８，３４４号「多層吸収層を有する吸収性用品」（１９９１年１月２９日発行）、およびレイジングの米国特許第４，９８８，３４５号「急速に収集（Acquiring）する吸収性コアを有する吸収性用品」（１９９１年１月２９日発行）。これらの特許は、どちらも本明細書の中で引用により取り入れられている。
【００４３】
本明細書において説明されているおむつの好適な態様において、バックシート５３０は、変形された砂時計の形状を有し、おむつの周囲全体に渡って、最小でも約１．３ｃｍ〜約６．４ｃｍ（約０．５インチ〜約２．５インチ）の距離だけ、吸収性コアの外側に拡がっている。
【００４４】
吸収性コア５４０は、おむつ５０と併用できるものであれば、どんなサイズまたは形状も取ることができる。おむつ５０の好適な一つの態様としては、第１のウェスト領域には、耳を有する非対称な改変Ｔ字形の吸収性コア５４０を有し、しかし、第２のウェスト領域には、一般的な長方形の吸収性コア５４０を有するものが挙げられる。広く受け入れられ、また商業的にも成功している、本発明の吸収性コアとして使用する上で例示的な吸収構造は、以下の特許の中で説明されている：ウェイスマン（Weisman）らの米国特許第４，６１０，６７８号「高密度吸収構造」（１９８６年９月９日発行）、ウェイスマンらの米国特許第４，６７３，４０２号「２層コアを有する吸収性用品」（１９８７年６月１６日発行）、オングスタット（Angstadt）の米国特許第４，８８８，２３１号「ほこり拭取層を有する吸収性コア」（１９８９年１２月１９日発行）、アレマニー（Alemany）らの米国特許第４，８３４，７３５号「低密度で低坪量の収集領域を有する高密度吸収性部材」（１９８９年５月３０日発行）。吸収性コアは、さらに、化学的に堅くした繊維からなる収集／分散コアを吸収性保存コアの上方に配置した、２層コアシステムを含んでいても良い。この２層コアシステムは、以下の特許の中で詳しく説明されている。アレマニーらの米国特許第５，２３４，４２３号「弾性的なウェスト部および向上した吸収性を有する吸収性用品」（１９９３年８月１０日発行）、ヤング（Young）、ラボン（LaVon）、およびティラー（Taylor）の米国特許第５，１４７，３４５号「失禁処理用の高効率吸収性用品」（１９９２年９月１５日発行）。これらの特許は、すべて本明細書の中で引用により取り入れられている。
【００４５】
好ましい態様においては、おむつ５０は、液体および他の体内からの滲出物をより多く含有するための弾性を持たせたレッグカフス５５０；より良く装着させ、より多く含有するための弾性的なウェスト部５６０；横方向に引っ張る力がおむつの周囲に渡って保たれることで、おむつを着用者に保持することができるように、第１のウェスト領域５６と第２のウェスト領域５８を部分的に重ねる構成に保つサイドクロ−ジャーを形成する取り付け部分５７０をさらに備える。また、弾性を持たせたサイドパネル（図示せず）をウェスト領域５６および５８内に含ませることで、おむつ５０は弾性的に伸び縮み可能となっていても良い。その結果、より快適にかつ輪郭に沿うように着用できるため、おむつ５０をより効果的に用いることができる。
【００４６】
弾性を持たせたレッグカフス５５０は、広範囲に渡る異なる構成に形成することができる。構成としては、以下の特許で説明されているものが含まれる：アジズ（Aziz）らの米国特許第３，８６０，００３号、米国特許第４，９０９，８０３号（１９９０年５月２０日発行）、ローソン（Lawson）の米国特許第４，６９５，２７８号（１９８７年９月２２日発行）、ドゥラゴー（Dragoo）の米国特許第４，７９５，４５４号（１９８９年１月３日発行）。以上の特許は、それぞれ本明細書の中で引用により取り入れられている。
【００４７】
弾性を持たせたウェスト部は、弾性を持たせたウェストバンド（図示せず）を含んでいることが好ましい。ウェストバンドは、以下の特許で説明されるものを含む広範囲に渡る異なる構成に形成することができる：キェビット（Kievit）らの米国特許第４，５１５，５９５号（１９８５年５月７日発行）、ロバートソン（Robertson）の米国特許第５，０２６，３６４号（１９９１年６月２５日発行）、すでに引用したブエルらの米国特許第５，１５１，０９２号（１９９２年９月２９日発行）。これらの特許は、それぞれ本明細書の中で引用により取り入れられている。
【００４８】
弾性を持たせたサイドパネルは、広範囲に渡る異なる構成に形成することができる。弾性を持たせたサイドパネルを、おむつの耳（耳ぶた）内に配置したおむつの例が、以下の特許で開示されている：ウッド（Wood）らの米国特許第４，８５７，０６７号（１９８９年８月１５日発行）、サイアラファ（Sciaraffa）らの米国特許第４，３８１，７８１号（１９８３年５月３日発行）、ファン・ゴンペル（Van Gompel）らの米国特許第４，９３８，７５３号（１９９０年７月３日発行）、ブエルらの米国特許第５，１５１，０９２号（１９９２年９月２９日発行）。以上の特許は、それぞれ本明細書の中で引用により取り入れられている。
【００４９】
例示的な取り付け部分５７０としては、以下の特許で開示されたものがある：スクリップス（Scripps）の米国特許第４，８４６，８１５号（１９８９年７月１１日発行）、ネステガード（Nestegard）の米国特許第４，８９４，０６０号（１９９０年１月１６日発行）、バットレル（Battrell）の米国特許第４，９４６，５２７号（１９９０年８月７日発行）、ブエルの米国特許第３，８４８，５９４号（１９７４年１１月１９日発行）、ヒロツ（Hirotsu）らの米国特許第Ｂ１ ４，６６２，８７５号（１９８７年５月５日発行）、ブエルらの米国特許第５，１５１，０９２号（１９９２年９月２９日発行）。以上の特許は、それぞれ本明細書の中で引用により取り入れられている。
【００５０】
おむつ５０は、おむつのウェスト領域の一つ（第２のウェスト領域５８であることが好ましい）を着用者の背中の下で押さえて、おむつの残りの部分を着用者の両足の間に渡して着用者に着用させることが好ましい。その結果、もう一つのウェスト領域（第１のウェスト領域５６であることが好ましい）を、着用者の前にかけて押さえることが好ましい。
それから、取り付け部分を使ってサイドクロージャーで留める。
【００５１】
本発明に係るローション剤が塗られたトップシートは、トレーニングパンツ用としても有用である。「トレーニングパンツ」という用語は、本明細書中で用いられているように、両側が固定され、足を入れるための開口部を有している使い捨て衣服を指す。トレーニングパンツは、前記開口部に着用者の両足を入れ、着用者の下半身のまわりでトレーニングパンツを所定の位置までずらすことにより、着用者に着用させる。好適なトレーニングパンツについては、ハッセ（Ｈａｓｓｅ）らの米国特許第５，２４６，４３３号（１９９３年９月２１日発行）の中で開示されている。
【００５２】
本発明に係るローション剤が塗られたトップシートが有用なものとして使用される別の使い捨て吸収性用品として、失禁用用品が挙げられる。「失禁用用品」という用語は、パッド、下着（ベルトなどのような同じタイプの吊り下げ用具によって支えられたパッド）、吸収性用品向けの挿入物、吸収性用品向けの容量増加具、ブリーフ、ベッドパッドなどを指す。これらは、着用する失禁者が成人か、それ以外であるかには依らない。好適な失禁用用品については、以下の中で開示されている：ストリックランド（Strickland）らの米国特許第４，２５３，４６１号（１９８１年３月３日発行）、ブエルの米国特許第４，５９７，７６０号および米国特許第４，５９７，７６１号、アー（Ahr）らの前述の米国特許第４，７０４，１１５号および米国特許第４，９０９，８０２号、ギプソン（Gipson）らの米国特許第４，９６４，８６０号（１９９０年１０月２３日発行）、ノエル（Noel）らの米国特許出願第０７／６３７，０９０号（１９９１年１月３日提出）（ＰＣＴ公開第ＷＯ９２／１１８３０、１９９２年７月２３日）。
【００５３】
Ｂ．ローション組成物
本発明に係るローション組成物は、２０℃つまり周囲温度において、固体もしくは、より多くの場合に半固体である。「半固体」という用語は、ローション組成物が、擬可塑性もしくは可塑性の流動物に典型なレオロジー（rheology）を有することを意味する。せん断力が加えられていない時には、ローション組成物は見た目には半固体である。しかし、せん断力が増加するにつれて流れ出す。これは、ローション組成物が主として固体成分を含んでいるが、少量の液体成分を同時に含んでいるという事実による。
【００５４】
本発明に係るローション組成物は、ローション剤が流動することを極力抑えるために、室温において少なくとも半固体であり。さらに、ローション組成物の最終融点（１００％液体となる温度）は、４５℃を上回るような「高ストレスになる（stressful）」可能性のある保存条件（たとえば、アリゾナ州にある倉庫、フロリダ州を走る車のトランクなど）よりも高いことが好ましい。
【００５５】
具体的には、本発明に係るローション組成物は下記表１記載の融解特性を有すべきである。
【００５６】
【表１】
2010075732.tif 000003
これらローション組成物は、周囲温度において固体もしくは半固体であるために、流れ出してローション組成物が塗られたおむつトップシートの内部へと染み込んでいくという傾向を示さない。このことは、コーティングローション剤の所望の治療効果もしくは保護効果をもたらすために必要なローション組成物の量が少なくて済むということを意味する。
【００５７】
本発明に係るローション組成物は、トップシートの外表面に塗られた際に、通常の接触、着用者の身動き、および／または体温によって着用者の皮膚に移ることができる。重要なことは、本発明において開示されているローション剤は、着用者の皮膚にＢＭが付着することを減少させ、その結果、ＢＭの清浄除去を容易にしていることである。
【００５８】
本発明に係るトップシートには、有効な量のローション組成物が含まれている。本明細書中で用いられているように、「有効な量のローションコーティング」という用語は、トップシートに塗られた際に着用者の皮膚にＢＭが付着することを減少させる効果があるような、個々のローション組成物の量を指す。ローションコーティングの有効な量が、使用する個別のローション組成物に、かなりの程度依存することは言うまでもない。
【００５９】
本発明に係るローション組成物には、以下のものが含まれる。（１）エモリエント剤、（２）エモリエント剤用の固定化剤、（３）任意の親水性界面活性剤、（４）その他の任意成分。
【００６０】
配合されたローション組成物の粘性率は、エモリエント剤、固定化剤および任意成分も含んで、ローション剤が吸収性用品の内部へと流れ込まないようにできるだけ高くなければならない。残念ながら、粘性率が高いと、ローション組成物を塗る際に作業上の問題が発生する。従って、トップシートの表面でローション組成物が局在化できる程度に十分高く、しかしながら、作業上の問題が発生しない程度に高くないような粘性率となるように、バランスが取られなければならない。ローション組成物にとって好適な粘性率は、典型的には、６０℃において、約５〜約２００センチポアズであり、好ましくは、約１５〜約１００センチポアズである。
【００６１】
１．エモリエント剤
ローション組成物の中で鍵となる活性成分は、一つもしくはそれ以上のエモリエント剤である。本明細書中で用いられているように、エモリエント剤とは、皮膚を軟化し、和らげ、柔軟にし、被覆し、潤滑し、湿気を与え、もしくはきれいにする材料である。エモリエント剤により、一般に、皮膚を和らげ、湿気を与え、そして潤滑するというような、上述の目的のいくつかが達成される。本発明の目的のために、これらのエモリエント剤の粘度（consistency）は、２０℃つまり周囲温度において、可塑性もしくは流動性のどちらかとなっている。このエモリエント剤のそれぞれの粘度により、ローション組成物からは柔らかく、すべすべした、ローションと同じような感触がもたらされる。
【００６２】
本発明において有用であるエモリエント剤は、また実質的に水分を含まない。「実質的に水分を含まない」という用語は、エモリエント剤に水分が意図的には加えられていないことを意味する。本発明に係るローション組成物を調製し、または使用する上で、エモリエント剤に水を加える必要はなく、水の添加は別に乾燥作業を必要とすることさえあり得る。しかしながら、たとえば周囲の湿度の影響でエモリエント剤中に取り込まれた少量もしくは極微量の水分は、悪影響をもたらすこともなく許容される。典型的に、本発明において使用されるエモリエント剤としては、約５％あるいはそれ未満の水分、より好ましくは約１％あるいはそれ未満の水分、最も好ましくは約０．５％あるいはそれ未満の水分が含まれている。
【００６３】
本発明において有用であるエモリエント剤は、石油系、脂肪酸エステル系、アルキルエトキシレート系、脂肪酸エステルエトキシレート、脂肪アルコール系、ポリシロキサン系、もしくはこれらのエモリエント剤の混合物であり得る。好適な石油系エモリエント剤には、鎖の長さが１６〜３２の炭素原子である炭化水素もしくは炭化水素の混合物が含まれる。これらの鎖の長さを有する石油系炭化水素には、鉱油（「液体ペテロラタム」としても知られている）およびペトロラタム（「ミネラルワックス」、「石油ゼリー（petroleum jelly）」そして「鉱ゼリー（mineral jelly）」としても知られている）が含まれる。
鉱油は、１６〜２０の炭素原子を有する炭化水素の粘性率が低い混合物を、通常指す。ペトロラタムは、１６〜３２の炭素原子を有する炭化水素からなる粘性率が高い混合物を、通常指す。ペトロラタムおよび鉱油は、本発明に係るローション組成物にとっては特に好ましいエモリエント剤である。
【００６４】
好適な脂肪酸エステル系エモリエント剤には、Ｃ12−Ｃ28脂肪酸、好ましくはＣ16−Ｃ22飽和脂肪酸、および短鎖（Ｃ1 −Ｃ8 、好ましくはＣ1 −Ｃ3 ）一価アルコールから得られるエモリエント剤が含まれる。このようなエステルの代表例には、メチルパルミテート、メチルステアレート、イソプロピルラウレート、イロプロピルミリステート、イソプロピルパルミテート、エチルヘキシルパルミテート、およびこれらの混合物が含まれる。
好適な脂肪酸エステルエモリエント剤は、さらに、より長い鎖の脂肪アルコール（Ｃ12−Ｃ28、好ましくはＣ12−Ｃ16）、および、たとえば乳酸のようなより鎖の短い脂肪酸から得られ、たとえばラウリルラクテートおよびセチルラクテートがある。
【００６５】
好適なアルキルエトキシレート系エモリエント剤には、平均のエトキシル化度が約２〜約３０である、Ｃ12−Ｃ22脂肪アルコールエトキシレートが含まれる。脂肪アルコールエトキシレートエモリエント剤は、平均のエトキシル化度が約２〜約２３であるラウリル、セチル、およびステアリルエトキシレート、およびこれらの混合物から構成された群から選ばれることが好ましい。このようなアルキルエトキシレートの代表例には、ラウレス−３（平均のエトキシル化度が３であるラウリルエトキシレート）、ラウレス−２３（平均のエトキシル化度が２３であるラウリルエトキシレート）、セテス−１０（平均のエトキシル化度が１０であるセチルアルコールエトキシレート）、そしてステアレス−１０（平均のエトキシル化度が１０であるステアリルアルコールエトキシレート）が含まれる。これらのアルキルエトキシレートエモリエント剤は、典型的には、ペトロラタムのような石油系エモリエント剤と組合わされて使用される。組合わせとしては、アルキルエトキシレートエモリエント剤と石油系エモリエント剤との重量比が、約１：１から約１：５、好ましくは約１：２から約１：４である。
【００６６】
好適な脂肪アルコール系エモリエント剤には、Ｃ12−Ｃ22脂肪アルコール、好ましくはＣ16−Ｃ18脂肪アルコールが含まれる。代表例には、セチルアルコールならびにステアリルアルコール、およびこれらの混合物が含まれる。これらの脂肪アルコールエモリエント剤は、典型的には、ペトロラタムのような石油系エモリエント剤と組合わせて使用される。組合わせとしては、脂肪アルコールエモリエント剤と石油系エモリエント剤との重量比が、約１：１から約１：５、好ましくは約１：１から約１：２である。
【００６７】
本発明で使用する上で好適な他の系のエモリエント剤には、ポリシロキサン化合物が含まれる。一般に、本発明で使用する上で好適なポリシロキサン材料には、次に示す構造のシロキサン単量体単位を有するものが含まれる。
【００６８】
【化１】
2010075732.tif 000004
ここで、互いに独立したシロキサン単量体単位についてのＲ1 およびＲ2 は、互いに独立に、水素、もしくはいかなるアルキル、アリール、アルケニル、アルカリール、アラルキル、シクロアルキル、ハロゲン化炭化水素、またはその他の基であり得る。このような基は、いずれも置換もしくは非置換のどちらでも良い。いずれかの特定の単量体単位のＲ1 およびＲ2 の基は、隣接する次の単量体単位の対応する官能基と異なっていても良い。さらに、ポリシロキサンは、直鎖もしくは分岐鎖のどちらでも良く、また環状構造を有していても良い。さらに、基Ｒ1 およびＲ2 は、互いに独立に、ポリシロキサン、シラン、およびポリシラン（しかし、これらに限定されない）のような他のシラス（silaceous）官能基であっても良い。基Ｒ1 およびＲ2 には、たとえばアルコール、カルボン酸、フェニル、およびアミン官能基等のさまざまな有機官能基のうち、いかなるものも含まれる。
【００６９】
例示的なアルキル基としては、メチル、エチル、プロピル、ブチル、ペンチル、ヘキシル、オクチル、デシル、オクタデシルなどが挙げられる。例示的なアルケニル基としては、ビニル、アリルなどが挙げられる。例示的なアリール基としては、フェニル、ジフェニル、ナフチルなどが挙げられる。例示的なアルカリール基としては、トイル、キシリル、エチルフェニルなどが挙げられる。例示的なアラルキル基としては、ベンジル、アルファ−フェニルエチル、ベータ−フェニルエチル、アルファ−フェニルブチルなどが挙げられる。例示的なシクロアルキル基としては、シクロブチル、シクロペンチル、シクロヘキシルなどが挙げられる。
【００７０】
例示的なハロゲン化炭化水素基としては、クロロメチル、ブロモエチル、テトラフルオロエチル、フルオロエチル、トリフルオロエチル、トリフルオロトイル、ヘキサフルオロキシリルなどが挙げられる。
【００７１】
ポリシロキサンをトップシートに塗る上で、ポリシロキサンが流れるもしくは流れるように作れる限り、有用なポリシロキサンの粘性率は、ポリシロキサンの粘性率が一般に変化するのと同じように、広く変化していても良い。このことは、粘性率として、５から約２０，０００，０００センチストークス（３７℃においてガラス粘性度計（ｇｌａｓｓ ｖｉｓｃｏｍｅｔｅｒ）で測定）の値を含む（しかし、この値に限定されない）。ポリシロキサンの粘性率は、３７℃において、約５〜約５，０００センチストークスであることが好ましく、より好ましくは、約５〜約２，０００センチストークスであり、最も好ましくは、約１００〜約１，０００センチストークスである。ポリシロキサンは粘性率が高くなると、それ自身は流れにくくなるが、たとえばポリシロキサンを界面活性剤中で乳化するか、もしくは溶媒を用いて溶解させるというような方法により、ポリシロキサンを効果的にトップシート上に塗ることができる。溶媒としては、単に例示的なものという意味で、ヘキサンが挙げられる。ポリシロキサンエモリエント剤をおむつトップシートに塗るための個々の方法については、後でより詳しく説明する。
【００７２】
本発明に用いる上で好ましいポリシロキサン化合物は、アンパルスキ（Ampulski）らの米国特許第５，０５９，２８２号（１９９１年１０月２２日発行）で開示されている。この特許は、本明細書の中で引用により取り入れられている。本発明に係るローション組成物のエモリエント剤として用いるポリシロキサン化合物は、以下のものを含んでいることが特に好ましい。フェニル官能性のポリメチルシロキサン化合物（たとえば、ダウコーニング５５６コスメチックグレード液体のポリフェニルメチルシロキサン）、およびセチル官能基もしくはステアリル官能性のジメチコーン（dimethicones）（それぞれ、たとえばダウ２５０２およびダウ２５０３ポリシロキサン液体）。このようなフェニル官能基もしくはアルキル基による置換に加えて、以下の基を用いても効果的な置換が行える。つまり、アミノ基、カルボキシル基、ヒドロキシル基、エーテル基、ポリエーテル基、アルデヒド基、ケトン基、アミド基、エステル基、およびチオール基である。これらの効果的な置換基の中でも、フェニル基、アミノ基、アルキル基、カルボキシル基、およびヒドロキシル基を含む基の族が、他のものよりもより好ましく、さらにフェニル官能基が最も好ましい。
【００７３】
石油系エモリエント剤、脂肪酸エステルエモリエント剤、脂肪酸エステルエトキシレート、アルキルエトキシレートエモリエント剤、脂肪アルコールエモリエント剤、およびポリシロキサンのほかに、本発明に有用なエモリエント剤には、他の従来のエモリエント剤が少量（たとえばエモリエント剤の総量に対して最大約１０％まで）含まれていても良い。これらのその他の従来のエモリエント剤としては、プロピレングリコール、グリセリン、トリエチレングリコール、鯨ロウその他のワックス、脂肪酸、そして脂肪鎖の中に１２から２８の炭素原子を含む脂肪アルコールエーテル（例えば、ステアリン酸、プロポキシレン脂肪アルコール）、グリセリド、アセトグリセリド、そしてＣ12−Ｃ28脂肪酸のエトキシル化グリセリド、ポリヒドロキシアルコールのその他の脂肪エステル、ラノリンおよびその誘導体が含まれる。これらのその他のエモリエント剤は、ローション組成物の固体もしくは半固体の特性が保持されるように含まれなければならない。
【００７４】
ローション組成物に含まれるエモリエント剤の量は、さまざまな要因に依存する。要因としては、含まれる個々のエモリエント剤の種類、所望のローション様効果、ローション組成物に含まれる他の成分などが挙げられる。ローション組成物には、約１０％〜約９５％のエモリエント剤が含まれる。好ましくは、ローション組成物は、約２０％〜８０％、最も好ましくは４０％〜７５％のエモリエント剤を含む。
【００７５】
２．固定化剤
本発明に係るローション組成物の中で特に鍵となる成分は、ローション組成物が塗られた吸収性用品のトップシート上に、エモリエント剤を固定することができる固定化剤である。ローション組成物のエモリエント剤の粘度は、２０℃において可塑性もしくは流動性であるため、加えられたせん断力がわずかでも、流れるか、もしくは染み込んでいく傾向を有する。エモリエント剤がおむつトップシートに塗られた時には、特にエモリエント剤が融解もしくは溶融している状態においては、エモリエント剤はほとんどトップシートの表面には残らない。その代わりに、エモリエント剤は吸収性用品の中へと染み込んでいく、もしくは流れ込んでいく傾向を有する。
【００７６】
このように、吸収性用品の中へエモリエント剤が染み込んでいくことによって、吸収性用品のコアの吸収性に対して望ましくない影響が生じる。これは、本発明に係るローション組成物において使用されるエモリエント剤の多くが、疎水性を有するためである。また、ローション剤の所定の治療効果もしくは保護効果が得られるためには、多量のエモリエント剤をトップシートに塗らなければならないということも、意味する。エモリエント剤の量が増えると、コストが上昇するだけでなく、コアの吸収性に対して望ましくない影響が顕著になる。
【００７７】
固定化剤により、ローション組成物が塗られたトップシートの表面にエモリエント剤がほぼ局在化するため、エモリエント剤が染み込むもしくは流れるという傾向が妨げられる。これは、固定化剤によってローション組成物の融点がエモリエント剤の融点を上回るという事実に、ある程度起因するものであると信じられている。固定化剤には、またエモリエント剤と混合する（または、適切な乳化剤を使用することにより、エモリエント剤の中で溶解する）性質もあるため、エモリエント剤がトップシートの表面に捕らえることも起こる。
【００７８】
トップシートの表面に固定化剤を「固定（lock）」してしまうことも、また利点となる。これは、トップシートの表面で急速に結晶化する（すなわち固体化する）固定化剤を使用することにより、実現される。また、処理されたトップシートの外側を、送風器、扇風機などを用いて冷却することにより、固定化剤の結晶化を速めることができる。
【００７９】
エモリエント剤と混合する（もしくはエモリエント剤の中で溶解する）ことに加えて、固定化剤はその融点が少なくとも約３５℃である必要がある。このことにより、固定化剤自体は染み込むもしくは流れるという傾向を有しない。固定化剤の融点は、少なくとも約４０℃であることが好ましい。典型的には、固定化剤の融点は、約５０℃から約１５０℃であることが好ましい。
【００８０】
本発明に係る好適な固定化剤には、Ｃ14−Ｃ22脂肪アルコール、Ｃ12−Ｃ22脂肪酸、ならびに、平均のエトキシル化度が２から約３０であるＣ12−Ｃ22脂肪アルコールエトキシレート、およびこれらの混合物からなる群から選ばれた一つの要素が含まれる。好ましい固定化剤には、Ｃ16−Ｃ18脂肪アルコールが含まれ、最も好ましくは、セチルアルコール、ステアリルアルコール、およびこれらの混合物からなる群から選ばれた要素が含まれる。これらのうち、セチルアルコールおよびステアリルアルコールの混合物が特に好ましい。好ましいその他の固定化剤には、Ｃ16−Ｃ18脂肪酸が含まれ、最も好ましくは、パルミチン酸、ステアリン酸、およびこれらの混合物からなる群から選ばれた要素が含まれる。
これらのうち、パルミチン酸およびステアリン酸の混合物が特に好ましい。さらに、好ましいその他の固定化剤には、平均のエトキシル化度が約５〜約２０であるＣ16−Ｃ18脂肪アルコールエトキシレートが含まれる。脂肪アルコール、脂肪酸および脂肪アルコールは、直鎖であることが好ましい。
【００８１】
重要なのは、Ｃ16−Ｃ18脂肪アルコールのような好ましい固定化剤により、ローション剤の結晶化速度が増加し、その結果、ローション剤が基板表面で急速に結晶化することである。その結果、使用するローション剤が少なくて済むか、またはローションのすぐれた感触がもたらされる。従来、これらの液体がおむつコアへと流れていたために、柔らかさを出すために多量のローション剤が必要であった。
【００８２】
その他の種類の固定化剤は、単独で使用するか、もしくは前述した脂肪アルコール、脂肪酸、そして脂肪アルコールエトキシレートと組合わせて使用することができる。その他の種類の固定化剤の例には、ポリヒドロキシ脂肪酸エステル、ポリヒドロキシ脂肪酸アミド、およびこれらの混合物が含まれる。エステルおよびアミドは、３もしくはそれ以上の遊離ヒドロキシ基をポリヒドロキシ基に有していることが好ましく、また典型的には非イオン性であることが好ましい。ローション組成物が塗られるトップシートに対して、皮膚は敏感であり得るので、これらのエステルおよびアミドは、また皮膚に対して比較的やさしく、そして刺激的でない必要がある。
【００８３】
本発明に使用する上で好適なポリヒドロキシ脂肪酸エステルは、次の構造を有する。
【００８４】
【化２】
2010075732.tif 000005
ここで、ＲはＣ5 −Ｃ31ヒドロカルビル基であり、好ましくは直鎖のＣ7 −Ｃ19アルキルもしくはアルケニルであり、より好ましくは直鎖のＣ9 −Ｃ17アルキルもしくはアルケニルであり、最も好ましくは直鎖のＣ11−Ｃ17アルキルもしくはアルケニルであり、またこれらの混合物である。Ｙはヒドロカルビル鎖を有するポリヒドロキシヒドロカルビル基であり、少なくとも２つの遊離ヒドロキシルが鎖に直接結合している。そしてｎは少なくとも１である。好適なＹ基は、以下のものから得ることができる：グリセロール、ペンタエリスリトールのようなポリオール；ラフィノース、マルトデキストロース、ガラクトース、シュクロース、グルコース、キシロース、フラクトース、マルトース、ラクトース、マンノース、およびエリトロースのような糖；エリスリトール、キシリトール、マリトール、マンニトール、およびソルビトールのような糖アルコール；そして、ソルビタンのような糖アルコール無水物。
【００８５】
本発明に使用する上で好適なポリヒドロキシ脂肪酸エステルの一つの種類には、あるソルビタンエステルが含まれ、Ｃ16−Ｃ22飽和脂肪酸のソルビタンエステルであることが好ましい。ソルビタンエステルが製造される典型的な方法により、これらのソルビタンエステルには、通常モノ−、ジ−、トリ−などのエステルの混合物が含まれる。好適なソルビタンエステルの代表例には、ソルビタンパルミテート（たとえばＳＰＡＮ４０）、ソルビタンステアレート（たとえばＳＰＡＮ６０）、およびソルビタンベヘネートが含まれ、これらの代表例には、ソルビタンエステルのモノ−、ジ−、トリ−エステルのバージョンが、一つもしくはそれ以上含まれる。これらのバージョンには、たとえば、ソルビタンモノ−、ジ−およびトリ−パルミテート、ソルビタンモノ−、ジ−およびトリ−ステアレート、ソルビタンモノ−、ジ−およびトリ−ベヘネート、さらに混合された獣脂（タロウ）脂肪酸モノ−、ジ−およびトリ−エステルが挙げられる。ソルビタンパルミテートとソルビタンステアレートのように、異なったソルビタンエステルからなる混合物を使用しても良い。ソルビタンエステルとしては、ソルビタンステアレートが特に好ましい。ソルビタンステアレートとしては、典型的には、ＳＰＡＮ６０のようなモノ−、ジ−、およびトリ−エステル（加えて多少のテトラエステル）の混合物、およびグリコムル−エス（ＧＬＹＣＯＭＵＬ−Ｓ）という商標でロンザ（Ｌｏｎｚａ）株式会社より販売されているソルビタンステアレートが挙げられる。これらのソルビタンエステルには、典型的にはモノ−、ジ−、およびトリ−エステルの混合物、加えて多少のテトラエステルが含まれるが、これらの混合物においては、通常、モノ−およびジ−エステルが支配的な種となっている。
【００８６】
本発明に使用する上で好適なポリヒドロキシ脂肪酸エステルの他の種類には、あるグリセリルモノエステルが含まれ、Ｃ16−Ｃ22飽和脂肪酸のグリセリルモノエステルであることが好ましい。Ｃ16−Ｃ22飽和脂肪酸のグリセリルモノエステルには、グリセリルモノステアレート、グリセリルモノパルミテート、およびグリセリルモノベヘネートが含まれる。ここでも、ソルビタンエステルのように、グルセリルモノエステル混合物には、典型的には多少のジ−、およびトリエステルが含まれる。しかしながら、このような混合物には、本発明において有用であるためには、グリセリルモノエステル種が支配的に含まれていなくてはならない。
【００８７】
本発明に使用する上で好適なポリヒドロキシ脂肪酸エステルの他の種類には、あるシュクロース脂肪酸エステルが含まれ、シュクロースのＣ12−Ｃ22飽和脂肪酸エステルであることが好ましい。シュクロースモノエステルおよびジエステルが特に好ましく、これらにはシュクロースモノ−およびジ−ステアレートおよびシュクロースモノ−およびジ−ラウレートが含まれる。
【００８８】
本発明に使用する上で好適なポリヒドロキシ脂肪酸アミドは、次の構造を有する。
【００８９】
【化３】
2010075732.tif 000006
ここで、Ｒ1 は、水素、Ｃ1 −Ｃ4 ヒドロカルビル、２−ヒドロキシエチル、２−ヒドロキシプロピル、メトキシエチル、メトキシプロピル、もしくはこれらの混合物であり、好ましくは、Ｃ1 −Ｃ4 アルキル、メトキシエチル、もしくはメトキシプロピルであり、より好ましくは、Ｃ1 もしくはＣ2 アルキル、またはメトキシプロピルであり、最も好ましくは、Ｃ1 アルキル（つまり、メチル）、もしくはメトキシプロピルである。Ｒ2 は、Ｃ5 −Ｃ31ヒドロカルビル基、好ましくは、直鎖のＣ7 −Ｃ19アルキルもしくはアルケニル、より好ましくは、直鎖のＣ9 −Ｃ17アルキルもしくはアルケニル、最も好ましくは、直鎖のＣ11−Ｃ17アルキルもしくはアルケニル、またはこれらの混合物である。Ｚは、線状のヒドロカルビル鎖を有するポリヒドロキシヒドロカルビル基であり、少なくとも３つのヒドロキシルが鎖に直接結合している。ホンザ（Honsa）の米国特許第５，１７４，９２７号（１９９２年１２月２９日発行）を参照されたい（この特許は、本明細書の中で引用により取り入れられている）。この特許においては、これらポリヒドロキシ脂肪酸アミドが、それらの製造方法とともに開示されている。
【００９０】
Ｚ基は、還元アミノ化反応での還元糖から得られることが好ましい。最も好ましくは、グリシチルである。好適な還元糖には、グルコース、フラクトース、マルトース、ラクトース、ガラクトース、マンノース、およびキシロースが含まれる。高デキストロースコーンシロップ、高フラクトースコーンシロップ、および高マルトースコーンシロップとともに、上述した個々の糖を使用することもできる。これらのコーンシロップから、Ｚ基用に糖成分の混合物を製造することができる。
【００９１】
Ｚ基は、−ＣＨ2 −（ＣＨＯＨ）n −ＣＨ2 ＯＨ、−ＣＨ（ＣＨ2 ＯＨ）−［（ＣＨＯＨ）n-1 ］−ＣＨ2 ＯＨ、−ＣＨ2 ＯＨ−ＣＨ2 −（ＣＨＯＨ）2 （ＣＨＯＲ3 ）（ＣＨＯＨ）−ＣＨ2 ＯＨからなる群から選ばれていることが好ましい。ここで、ｎは３から５の整数、そしてＲ3 は水素、または環状もしくは脂肪族のモノサッカライドである。ｎが４であるグリシチル、特に−ＣＨ2 −（ＣＨＯＨ）4 −ＣＨ2 ＯＨが最も好ましい。
【００９２】
前述の構造式において、Ｒ1 は、たとえばＮ−メチル、Ｎ−エチル、Ｎ−プロピル、Ｎ−イソプロピル、Ｎ−ブチル、Ｎ−２−ヒドロキシエチル、Ｎ−メトキシプロピル、もしくはＮ−２−ヒドロキシプロピルであっても良い。Ｒ2 には、たとえばコカミド、ステアラミド、オレアミド、ラウラミド、ミリストアミド、カプリカミド、パルミトアミド、タロウアミドなどを提供するように選ばれてもよい。Ｚ基は、１−デオキシグルシチル、２−デオキシフラクチチル、１−デオキシマルチチル、１−デオキシラクチチル、１−デオキシガラクチチル、１−デオキシマンニチル、１−デオキシマルトトリオチチルなどであっても良い。
【００９３】
最も好ましいポリヒドロキシ脂肪酸アミドは、次の一般的な構造式を有する。
【００９４】
【化４】
2010075732.tif 000007
ここで、Ｒ1 は、メチル、もしくはメトキシプロピルである。Ｒ2 は、Ｃ11−Ｃ17直鎖アルキルもしくはアルケニル基である。これらには、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロウイル−Ｎ−メチルグルカミド、もしくはＮ−タロウイル−Ｎ−メトキシプロピルグルカミドが含まれる。
【００９５】
前述のように、固定化剤の中には、乳化剤を用いてエモリエント剤中で溶解させる必要のあるものがある。これは、特に、ＨＬＢ価が少なくとも約７であるＮ−アルキル−Ｎ−メトキシプロピルグルカミドのような、ある種のグルカミドの場合である。好適な乳化剤には、典型的にＨＬＢ価が約７を下回る乳化剤が含まれる。この点に関しては、ＨＬＢ価が約４．９もしくはそれ未満であるソルビタンステアレートのような、前述したソルビタンエステルが、これらグルカミド固定化剤をペトロラタム中で溶解させる上で有効であることが見出だされている。好適な他の乳化剤には、ステアレス−２（構造式ＣＨ3 （ＣＨ2 ）17（ＯＣＨ2ＣＨ2 ）n ＯＨ（ｎの平均値は２）に従う、ステアリルアルコールのポリエチレングリコールエーテル）、ソルビタントリステアレート、イソソルビドラウレート、およびグリセリルモノステアレートが含まれる。エモリエント剤の中で固定化剤を溶解させるのに十分な量の乳化剤が投入されることにより、実質的に均一な混合物が得られる。一例として、Ｎ−ココイル−Ｎ−メチルグルカミドとペトロラタムを約１：１の比で混合した混合物は、通常は融解して単一相混合物になるということはないが、ステアレス−２とソルビタントリステアレートの１：１混合物２０％を乳化剤として加えることにより、融解して単一相混合物となる。
【００９６】
固定化剤として用いることができる他の種類の成分には、カルナウバ、蜜ロウ、カンデリラ、パラフィン、セレシン、エスパルト、オウリクリ（ouricuri）、レゾロウ（rezowax）のようなワックス、およびその他の既存のワックスが含まれる。これらの他の種類の成分は、単独で、もしくは前述の固定化剤と組合わせて用いることができる。ワックスは、パラフィンワックスであることが好ましい。特に好ましいパラフィンワックスの例は、パラフィンＳ．Ｐ．４３４（ストラール・アンド・ピッチ（Strahl and Pitsch）社製、私書箱１０９８、ウェストバビロン、ニューヨーク州１１７０４）である。
【００９７】
ローション組成物に含まれるべき固定化剤の量は、さまざまな要因に依存する。要因としては、含まれる個々のエモリエント剤の種類、含まれる個々の固定化剤の種類、エモリエント剤中で固定化剤を溶解するために乳化剤が必要とされるかどうか、ローション組成物に含まれる他の成分などが挙げられる。ローション組成物には、約５％〜約９０％、好ましくは、約５％〜５０％、最も好ましくは、１０％〜４０％の固定化剤が含まれる。
【００９８】
３．任意の親水性界面活性剤
前述したように、トップシートは、親水性の材料から形成され、液体（尿など）がトップシートをすばやく通り抜けるのを促進することが強く望まれる。同様に、ローション組成物も濡れ性が十分に高く、液体がトップシートをよりすばやく通り抜けることを確実にすることが重要である。このことにより、体内からの滲出物が、トップシートを通り抜け吸収性コアに吸収されるというよりおむしろ、トップシートのまわりへはみ出て流れてしまう（flow off）という可能性を減らすことができる。本発明のローション組成物に用いる個々の固定化剤によっては、濡れ性を改善するために親水性の界面活性剤（もしくは親水性界面活性剤の混合物）をさらに必要としたり、またはしなかったりする。たとえば、Ｎ−ココイル−Ｎ−メトキシプロピルグルカミドのような固定化剤は、ＨＬＢ価が少なくとも約７であり、親水性の界面活性剤を添加しなくても十分に濡れ性が高い。一方、Ｃ16−Ｃ18脂肪アルコールのような他の固定化剤は、ＨＬＢが約７を下回っており、ローション組成物をおむつトップシートに塗る際に、親水性の界面活性剤を添加して濡れ性を改善する必要がある。同様に、ペトロラタムのような疎水性の固定化剤は、親水性の界面活性剤を必要とする。
【００９９】
好適な親水性の界面活性剤は、緩和材および固定化剤と混合性であり、均一な混合物を形成する。ローション組成物が塗られて使用されるこれらのトップシートに対して、皮膚は敏感であり得るので、これらの界面活性剤も、皮膚に対して比較的やさしく、そして刺激的でない必要がある。一般に、これらの親水性の界面活性剤は非イオン性であるため、皮膚に対して刺激的でないだけでなく、その下に敷かれるいかなるティッシュの積層構造に対しても、その他の好ましくない影響（たとえば、引っ張り力の減少）が生じないようになっている。
【０１００】
好適な非イオン性の界面活性剤は、ローション組成物がトップシートに塗られた後に、実質的に非移動性であっても良く、また一般にＨＬＢ価が約４から約２０である、好ましくは、約７から約２０となっている。非イオン性の界面活性剤が非移動性であるためには、一般にその融点が、保存中、出荷中、取引中、および使い捨て吸収性用品の使用中の温度、たとえば少なくとも約３０℃、よりも高くなっている。この点に関しては、これら非イオン性界面活性剤の融点は、前述した固定化剤の融点に近いことが好ましい。
【０１０１】
本発明に係るローション組成物に使用する上で好適な非イオン性の界面活性剤には、アルキルグリコシド；アルキルグリコシドエーテル、これはラングドン（Langdon）らの米国特許第４，０１１，３８９号（１９７７年３月８日発行）で説明されている；ペゴスパース（Pegosperse）１０００ＭＳ（ロンザ株式会社、フェアローン、ニュージャージー州より販売されている）のような、アルキルポリエトキシレートエステル；Ｃ12−Ｃ18脂肪酸のエトキシレートソルビタンモノ−、ジ−、および／またはトリ−エステル、ここで、Ｃ12−Ｃ18脂肪酸は、平均のエトキシル化度が約２〜約２０、好ましくは、約２〜約１０であり、これには、ツイーン（TWEEN）６０（平均のエトキシル化度が約２０である、ステアリン酸のソルビタンエステル）、およびツイーン６１（平均のエトキシル化度が約４である、ステアリン酸のソルビタンエステル）がある；約１〜約５４モルのエチレン酸化物と脂肪族アルコールの縮合物が含まれる。脂肪族アルコールのアルキル鎖は、一般に直鎖（線状）の構成となっており、約８〜約２２の炭素原子を含んでいる。約１１〜約２２の炭素原子を含むアルキル基を有するアルコールとアルコール１モル当たり約２〜約３０モルのエチレン酸化物との縮合物が、特に好ましい。このようなエトキシル化アルコールの例には、ミリスチルアルコールとアルコール１モル当たり７モルのエチレン酸化物の縮合物、ココナッツアルコール（１０〜１４の炭素原子の長さのアルキル鎖を有する脂肪アルコールの混合物）と約６モルのエチレン酸化物の縮合物が含まれる。数多くの好適なエトキシル化アルコールが、市販されている。この中には、以下のものが含まれる：テルジトル（TERGITOL）１５−Ｓ−９（９モルのエチレン酸化物とＣ13−Ｃ15直鎖アルコールの縮合物）、これは、ユニオン・カーバイド・コーポレーションから販売されている；キロ・エオブ（KYRO EOB）（９モルのエチレン酸化物とＣ13−Ｃ15直鎖アルコールの縮合物）、これは、プロクター・アンド・ギャンブル社から、販売されている；ネオドル（NEODOL）という商標名の界面活性剤、これはシェル（Shell）化学社から販売されている。特に、ネオドル２５−１２（１２モルのエチレン酸化物とＣ12−Ｃ15直鎖アルコールの縮合物）、およびネオドル２３−６．５Ｔ（６．５モルのエチレン酸化物とＣ12−Ｃ13直鎖アルコールの縮合物であって、蒸留（常圧蒸留（topped））して、ある程度不純物を除去したもの）；そして特に、プルラファック（PLURAFAC）という商標名の界面活性剤、これはバスフ（ＢＡＳＦ）株式会社から販売されている。特に、プルラファックＡ−３８（２７モルのエチレン酸化物とＣ18直鎖のアルコールの縮合物）。（ある種の親水性界面活性剤、特にネオドル２５−１２のようなエトキシレートアルコールは、アルキルエトキシレートエモリエント剤としても機能する）。好ましいエトキシル化アルコールエモリエント剤のその他の例としては、ブリッジュ（Brij）界面活性剤のアイシーアイ級（ICI'S class）、およびその混合物が含まれる。その中でも、ブリッジュ７２（すなわち、ステアレス−２）およびブリッジュ７６（すなわち、ステアレス−１０）が、特に好ましい。また、エトキシル化されて平均のエトキシル化度が約１０〜約２���となっている、セチルアルコールおよびステアリルアルコールの混合物を、親水性界面活性剤として使用しても良い。
【０１０２】
本発明に使用する上で好適な界面活性剤の他の例には、エアロゾルＯＴ（Aerosol OT）が含まれる。これは、ナトリウムスルホコハク酸（sodium sulfosuccinic acid）であり、アメリカン・シアナミド社（American Cyanamid Company）から販売されている。
【０１０３】
さらに、本発明に使用する上で好適な界面活性剤の他の例には、ジェネラルエレクトリックエスエフ１１８８（General Electric SF 1188）（ポリジメチルシロキサンおよびポリオキシアルキレンエーテルの共重合体）、およびジェネラルエレクトリックエスエフ１２２８（シリコーンポリエーテル共重合体）のようなシリコーン共重合体が含まれる。これらのシリコーン界面活性剤は、エトキシル化アルコールのような前述の別の種類の親水性界面活性剤と組合わせて使用しても良い。これらのシリコーン界面活性剤は、０．１％の低い濃度、より好ましくは約０．２５％から約１．０％の濃度において、効果があることが見出だされている。ここで、濃度はローション組成物の重量によって決められる。
【０１０４】
ローション組成物の濡れ性を所定のレベルにまで増加させるのに必要な、親水性界面活性剤の量は、用いられる固定化剤のＨＬＢ価および量、用いられる界面活性剤のＨＬＢ価などに依存する。ローション組成物の濡れ性を増加させることが必要とされる際には、ローション組成物には、約１％〜約５０％、好ましくは、約１％〜約２５％、最も好ましくは、約１０％〜約２０％の親水性界面活性剤が含まれる。
【０１０５】
４．その他の任意成分
ローション組成物は、一般にエモリエント剤、クリーム、そしてこの種のローション剤の中に、その他の任意成分を含むことができる。これらの任意成分には、水、粘性率調整剤、香料、消毒剤、抗バクテリア活性剤、薬理活性剤、フィルム形成剤、脱臭剤、不透明化剤、収斂剤（アストリンジェント）、溶剤などが含まれる。さらに、ローション組成物の保存期間を長くするために、安定剤を添加しても良い。この安定剤には、セルロース誘導体、蛋白質およびレシチンが含まれる。これらの物質はすべて、当該技術分野において、このような配合物に対する添加剤として知られており、適切な量にて、本発明に係るローション組成物に使用することができる。
【０１０６】
Ｃ．ローション組成物によるおむつトップシートの処理
本発明に基づいてローションが塗られたおむつ用品を作製する際、ローション組成物はおむつトップシートの外側表面（すなわち、身体側表面）に塗られる。溶融粘度もしくは液状粘度を有する潤滑性材料を、均一に分散させることができるさまざまな塗布方法のうち、いかなる方法をも用いることができる。好適な方法には、スプレー法、印刷法（たとえば、フレキソ印刷法）、コーティング法（たとえば、グラビアコーティング法）、押出し法、もしくはこれらの塗布技術の組合わせが含まれる。塗布技術の組合わせとしては、たとえば、カレンダーロールのような回転表面にローション組成物をスプレーし、次に、この組成物をおむつトップシートの外側表面に移すことなどが挙げられる。
【０１０７】
おむつトップシートにローション組成物を塗る際、トップシートがローション組成物によって飽和してしまわないようにすることが必要である。もし、トップシートがローション組成物によって飽和してしまうと、このローション剤がトップシートの開口を塞いでしまう可能性が大きい。その結果、下に敷かれた吸収性コアに液体を透過させるトップシートの能力が、損なわれてしまう。また、ローション剤の治療効果、および／または保護効果を得る上で、トップシートがローション組成物によって飽和する必要はない。主としておむつトップシートの外側表面にローション組成物を塗ることができる塗布方法が、特に好適である。
【０１０８】
おむつトップシートに塗るローション剤の最小量は、着用者の皮膚にＢＭが付着することを減少させるのに有効な量である。本発明に係るおむつトップシートに塗るローション組成物の量は、約０．１６ｇ／ｍ2（０．１ｍｇ／ｉｎ2 ）〜約３９ｇ／ｍ2（２５ｍｇ／ｉｎ2 ）であることが好ましく、より好ましくは、約１．６ｇ／ｍ2（１ｍｇ／ｉｎ2 ）〜約１６ｇ／ｍ2（１０ｍｇ／ｉｎ2 ）である（ｍｇ／ｉｎ2 は、コーティングされたトップシート上の１ｉｎ2 あたりのローション剤のｍｇ量である）。トップシートの表面上で、エモリエント剤は実質的に固定化されているので、所定の皮膚手入れ剤の効果をもたらすのに必要なローション組成物の量は、少なくて済む。このように、ローション組成物の量が比較的少なくても、ローション組成物の所定の治療効果および／または保護効果をトップシートにもたらす上では十分であり、そしてトップシートの吸収性および／また濡れ性が飽和することもない。
【０１０９】
ローション組成物は、トップシートの表面全体に塗っても良いし、表面の一部に塗っても良い。ローション組成物は、使い捨て吸収性用品の縦方向の中心線と整列しこの中心線上に中心を持つストライプの模様（パターン）に、塗られることが好ましい。また、後述する実施例で説明するように、トップシートの個別の領域にローション組成物が塗られていることが最も好ましい。ここで、個別の領域としては、たとえば、幅約９．５ｃｍ（３．７５インチ）（おむつの横方向）、長さ約１７．８ｃｍ（７インチ）（おむつの縦方向）のパッチであって、一般に第２ウェスト領域の方に配置されるものが挙げられる。
【０１１０】
ローション組成物は、おむつトップシートの外側表面に不均一に塗られても良い。「不均一」とは、ローション組成物の分量、分散パターンなどが、トップシート表面上で変化することを意味する。たとえば、トップシートの処理表面のうち、ある部分のローション組成物の量が多くても、または少なくても良い。これには、ローション組成物が全く塗られていない表面部分があることも含む。
【０１１１】
ローション組成物は、組立て中のどの時点においても、塗ることができる。たとえば、完成した使い捨て吸収性用品が包装される前に、トップシートにローション組成物を塗ることができる。また、トップシートが他の素材と組み合わされて使い捨て吸収性用品が完成する前に、トップシートにローション組成物を塗ることもできる。
【０１１２】
ローション組成物は、一般に融解したものから、おむつトップシートに塗る。ローション組成物は、周囲温度よりもかなり高い温度で融解するので、通常トップシートへの加熱コーティングとして塗られる。典型的には、ローション組成物はおむつトップシートに塗られる前に、約３５℃〜約１００℃の温度に、好ましくは、約４０℃〜約９０℃の温度に、加熱される。融解したローション組成物がおむつトップシートに塗られた後、ローション組成物は徐冷され固体化され、そして、固体化したコーティングもしくはフィルムがトップシートの表面に形成される。塗布工程は、ローション剤の冷却／形成を補助するように設計されていることが好ましい。
【０１１３】
本発明に係るローション組成物をおむつトップシートに塗る方法としては、スプレー法、グラビアコーティング法、および押出しコーティング法が好ましい。図１は、このような好ましい方法の一つを示している。この方法は、トップシートが他の素材と組合わされて完成品となる前に、おむつトップシートへコーティングをスプレーすることを含んでいる。図１において、トップシート不織布１が親トップシートロール２（矢印２ａで示された方向に回転している）からほどかれて、スプレーステーション６へと進む。スプレーステーション６では、トップシート布１の一方の側面に、熱く、融解した（たとえば６５℃）ローション組成物がスプレーされる。スプレーステーションを出たところで、布１はローションが塗られた布３になる。ローション剤が塗られたトップシート布３は、次に、回転ロール４および回転ロール８のまわりに沿って進み、そしてローション剤が塗られたトップシート用の親ロール１０（矢印１０ａで示された方向に回転している）に巻き取られていく。
【０１１４】
図２は、好ましい他の方法を示している。この方法は、変換工程の間に、連続的にもしくは断続的に、おむつトップシート上へローション組成物をスプレーすることを含んでいる。図２において、ベルトコンベアー１は、回転ロール３および４の上を矢印で示された方向に進み、そして戻りのベルトコンベアー２になる。ローション剤が塗られていないおむつ５は、ベルトコンベアー１によってスプレーステーション６へと運ばれ、そこでは、熱く、融解した（たとえば６５℃）ローション組成物が、トップシートパッチ７にスプレーされる。スプレーステーションを出たところで、ローション剤が塗られていないおむつ５は、ローション剤が塗られたおむつ８になり、ローション剤が塗られたトップシートを有している。トップシートパッチ７へと移されるローション組成物の量は、（１）スプレーステーション６からスプレーされる、融解したローション組成物の速度、および／または（２）スプレーステーション６の下を移動するベルトコンベアー１の速度により制御される。
【実施例】
【０１１５】
本発明に基づいてローション剤が塗られたおむつトップシートを作製する具体的な実施例
以下に、本発明に基づいておむつトップシートにローション組成物を施す具体的な実施例を示す。
【０１１６】
実施例１
Ａ．ローション組成物の調製
水分を含まないローション組成物（ローション剤Ａ）を、以下に示す融解した（つまり液体の）成分を同時に混合することにより調製した。鉱油（カーネーションホワイトミネラルオイル（Carnation White Mineral Oil）、ＵＳＰ、ウィトコ社（Witco Corp.）製）、セテアリルアルコール（Cetearyl Alcohol）（混合直鎖Ｃ16−Ｃ18第１アルコール、商品名ＴＡ−１６１８、プロクターアンドギャンブル社製）、ステアレス−２（ブリッジュ７２、平均エトキシル化度が２のＣ18直鎖アルコールエトキシレート、ＩＣＩアメリカ製）。これらの成分の重量パーセントを、下記の表２に示す。
【０１１７】
【表２】
2010075732.tif 000008
Ｂ．加熱溶融スプレー法によるローション剤が塗られたおむつトップシートの作製
ローション剤Ａを、約５１．５℃（１２５°Ｆ）の下で動作する加熱容器の中に入れた。続いて、ローション成分Ａをおむつのトップシート上へスプレーした（ディナテック（Ｄｙｎａｔｅｃ）Ｅ８４Ｂ１７５８スプレーヘッドを使用、温度約７３．９℃（１６５°Ｆ）および噴霧圧力ゲージ圧で約１６８．７ｇ／ｃｍ2（２．４０ｐｓｉｇ）のもとで実施）。トップシートの塗布領域は、幅約９．５ｃｍ（３．７５インチ）（おむつの横方向）、および長さ約１７．８ｃｍ（７インチ）（おむつの縦方向）であり、このパッチは横方向の中心線の約２．５４ｃｍ（１インチ）前方から始まって、おむつ用品の後方へと延びている。塗布されたローション剤の量は、０．００６ｇ／ｉｎ2（９．３ｇ／ｍ2 ）である。
【０１１８】
実施例２
ローション剤Ａ（実施例１の手順に従って調製）を、続いておむつのトップシート上にスプレーした。トップシートの塗布領域は、幅約９．５ｃｍ（３．７５インチ）（おむつの横方向）のストライプであって、縦方向の中心線上に中心を持ち、おむつ用品の全体の長さに渡って延びている。塗布されたローション剤の量は、０．００６ｇ／ｉｎ2 （９．３ｇ／ｍ2 ）である。
【０１１９】
実施例３
ローション剤Ａ（実施例１の手順に従って調製）を、続いておむつのトップシート上にスプレーした。トップシートの塗布領域は、幅約９．５ｃｍ（３．７５インチ）（おむつの横方向）のストライプであって、縦方向の中心線上に中心を持ち、長さ約１７．８ｃｍ（７インチ）（おむつの縦方向）を有する。このパッチは横方向の約２．５４ｃｍ（１インチ）前方から始まって、おむつ用品の後方へと延びている。塗布されたローション剤の量は、０．００３ｇ／ｉｎ2 （４．６５ｇ／ｍ2 ）である。
【０１２０】
実施例４
Ａ．ローション組成物の調製
水分を含まないローション組成物（ローション剤Ｂ）を、以下に示す融解した（つまり液体の）成分を同時に混合することにより調製した。鉱油（カーネーションホワイトミネラルオイル、ＵＳＰ、ウィトコ社製）、セテアリルアルコール（混合直鎖Ｃ16−Ｃ18第１アルコール、商品名ＴＡ−１６１８、プロクターアンドギャンブル社製）。これらの成分の重量パーセントを、下記の表３に示す。
【０１２１】
【表３】
2010075732.tif 000009
Ｂ．加熱溶融スプレー法によるローション剤が塗られたトップシートの作製
ローション剤Ｂを、約５１．７℃（１２５°Ｆ）の下で動作する加熱容器の中に入れた。続いて、ローション剤Ｂをおむつのトップシート上へスプレーした（ディナテックＥ８４Ｂ１７５８スプレーヘッドを使用、温度約７３．９℃（１６５°Ｆ）および噴霧圧力ゲージ圧で約１６８．７ｇ／ｃｍ2（２．４０ｐｓｉｇ）のもとで実施）。トップシートの塗布領域は、幅約９．５ｃｍ（３．７５インチ）（おむつの横方向）、および長さ約１７．８ｃｍ（７インチ）（おむつの縦方向）であり、このパッチは横方向の中心線の約２．５４ｃｍ（１インチ）前方から始まって、おむつ用品の後方へと延びている。塗布されたローション剤の量は、０．００６ｇ／ｉｎ2 （９．３ｇ／ｍ2 ）である。
【０１２２】
実施例５
Ａ．ローション組成物の調製
水分を含まないローション組成物（ローション剤Ｃ）を、以下に示す融解した（つまり液体の）成分を同時に混合することにより調製した。ホワイトプロトペット（White Protopet）１Ｓ（白ワックス、ウィトコ社製）、セテアリルアルコール（混合直鎖Ｃ16−Ｃ18第１アルコール、商品名ＴＡ−１６１８、プロクターアンドギャンブル社製）、ステアレス−２（ブリッジュ７６２、平均エトキシル化度が２のＣ18直鎖アルコールエトキシレート、ＩＣＩアメリカ製）。これらの成分の重量パーセントを、下記の表４に示す。
【０１２３】
【表４】
2010075732.tif 000010
Ｂ．加熱溶融スプレー法によるローション剤が塗られたトップシートの作製
ローション剤Ｃを、約５１．７℃（１２５°Ｆ）の下で動作する加熱容器の中に入れた。続いて、ローション剤Ｃをおむつのトップシート上へスプレーした（ディナテックＥ８４Ｂ１７５８スプレーヘッドを使用、温度約７３．９℃（１６５°Ｆ）および噴霧圧力ゲージ圧で約１６８．７ｇ／ｃｍ2）（２．４０ｐｓｉｇ）のもとで実施）。トップシートの塗布領域は、幅約９．５ｃｍ（３．７５インチ）（おむつの横方向）、および長さ約１７．８ｃｍ（７インチ）（おむつの縦方向）であり、このパッチは横方向の中心線の約２．５４ｃｍ（１インチ）前方から始まって、おむつ用品の後方へと延びている。塗布されたローション剤の量は、０．００６ｇ／ｉｎ2 （９．３ｇ／ｍ2 ）である。
【０１２４】
実施例６
Ａ．ローション組成物の調製
水分を含まないローション組成物（ローション剤Ｄ）を、以下に示す融解した（つまり液体の）成分を同時に混合することにより調製した：ホワイトプロトペット１Ｓ（白ワックス、ウィトコ社製）；ダウコーニング５５６コスメチックグレード液体（ポリフェニルメチルシロキサン、ダウコーニング社製）；特に好ましいパラフィンワックスの例は、パラフィンＳ．Ｐ．４３４（ストラールアンドピッチュ社製）；セテアリルアルコール（混合直鎖Ｃ16−Ｃ18第１アルコール、商品名ＴＡ−１６１８、プロクターアンドギャンブル社製）、ＰＥＧ２０００（分子量（ＭＷ）２０００のポリエチレングリコール、シグマ−アルドリッチ（Ｓｉｇｍａ−Ａｌｄｒｉｃｈ）社製）。これらの成分の重量パーセントを、下記の表５に示す。
【０１２５】
【表５】
2010075732.tif 000011
Ｂ．加熱溶融スプレー法によるローション剤が塗られたトップシートの作製
ローション剤Ｄを、約６５．６℃（１５０°Ｆ）の下で動作する加熱容器の中に入れた。続いて、ローション剤Ｄをおむつのトップシート上へスプレーした（ディナテックＥ８４Ｂ１７５８スプレーヘッドを使用、温度約７６．７℃（１７０°Ｆ）および噴霧圧力ゲージ圧で約１６８．７ｇ／ｃｍ2（２．４０ｐｓｉｇ）のもとで実施）。トップシートの塗布領域は、幅約９．５ｃｍ（３．７５インチ）（おむつの横方向）、および長さ約１７．８ｃｍ（７インチ）（おむつの縦方向）であり、このパッチは横方向の中心線の約２．５４ｃｍ（１インチ）前方から始まって、おむつ用品の後方へと延びている。塗布されたローション剤の量は、０．００６ｇ／ｉｎ2 （９．３ｇ／ｍ2 ）である。 
【図面の簡単な説明】
【０１２６】
【図１】本発明に係るローション組成物をトップシートに塗るために好適なプロセスを示す模式図。
【図２】本発明に係るローション組成物をトップシートに塗るための他のプロセスを示す模式図。
【図３】本発明によるおむつの形状をなす吸収性用品を示す図。
【符号の説明】
【０１２７】
５０…おむつ
５２０…液体透過性トップシート
５３０…液体不透過性バックシート
５４０…吸収性コア
５４２…衣類側表面
５４４…身体側表面
５４６…サイドエッジ
５４８…ウェストエッジ
５４９…耳
５５０…弾性を持たせたレッグカフス
５６０…弾性的なウェスト多プライ
５２…おむつの外側表面
５４…おむつの内側表面
５６…第１のウェスト領域
５８…第２のウェスト領域５８
５３…おむつの横方向の中心線
５９…おむつの縦方向の中心線 
【図１】
2010075732.tif 000014
【図２】
2010075732.tif 000015
【図３】
2010075732.tif 000016